(57)【要約】【課題】表示領域に可変表示される図柄の変動量を多くする。【解決手段】遊技球が始動口に入ると、表示パネル１の第１エリア乃至第３エリアからなる第１列目、第４エリア乃至第６エリアからなる第２列目、第７エリア乃至第９エリアからなる第３列目に、複数の図柄が表示領域１ａの横辺Ｘと平行する方向に回転しているように可変表示された後に停止し、停止した図柄が第１行目、第２行目、第３行目、または、第１エリアから第５エリアを経て第９エリアに至るか、第３エリアから第５エリアを経て第７エリアに至る対角線上の２つの斜め列の合計５つの当たりラインの１つにおいて同一図柄で揃うというように当たり図柄になると、制御部２が当たり信号を図外の遊技制御装置に出力し、遊技制御装置が遊技板上のアタッカを動作して遊技者に有利な遊技を開始させる。エリアの個数は、２行３列、１行３列、３行２列、３行１列など、３行３列以外でもよい。【選択図】図１
2006006981.tif 000002
【特許請求の範囲】
【請求項１】
表示パネルの表示領域に複数の図柄を可変表示して停止しかつ停止した図柄が当たり図柄である場合に遊技者に有利な遊技状況を発生する遊技機の画像表示装置において、表示領域は横辺が縦辺よりも長い寸法の横長の長方形に形成され、複数の図柄における可変方向が可変表示の開始から停止まで表示領域の長辺と平行する横方向に設定されたことを特徴とする遊技機の画像表示装置。
【請求項２】
表示パネルの表示領域に複数の図柄を可変表示して停止しかつ停止した図柄が当たり図柄である場合に遊技者に有利な遊技状況を発生する遊技機の画像表示装置において、表示領域は縦辺が横辺よりも長い寸法の縦長の長方形に形成され、表示領域に表示される複数の図柄における可変方向が可変表示の開始から停止まで表示領域の長辺と平行する縦方向に設定されたことを特徴とする遊技機の画像表示装置。
【請求項３】
表示パネルと、表示パネルに複数の図柄を遊技者に見せるために長方形に形成された表示領域と、表示領域に複数の図柄を表示するために表示領域の長辺と平行する方向に区分された複数のエリアと、表示領域の長辺と平行する方向に隣接する複数のエリアに複数の図柄を可変表示の開始から停止まで一連に可変表示して停止する図柄変動手段と、図柄の停止する当たりラインに停止した図柄が当たり図柄である場合に遊技者に有利な遊技状況を発生する制御部とを備えたことを特徴とする遊技機の画像表示装置。
【発明の詳細な説明】
【技術分野】
【０００１】
この発明はパチンコ機、アレパチ機、アレンジボール、スロットマシンなどの遊技機に用いられ、表示パネルに複数の図柄を可変表示して停止し、それらの停止した図柄の組み合わせにより、遊技者に有利な遊技状況を発生する画像表示装置に関する。
【背景技術】
【０００２】
図８は従来の遊技機における表示パネルの一部または全域に例えば３行３列の９分割画面に構成した長方形の組み合わせ表示領域を示したものであって、複数行複数列中の行を縦方向とし、列を横方向とし、第１エリア〜第９エリアを有し、各エリアでは数字の「０」、「１」、「２」、「３」、「４」、「５」、「６」、「７」、「８」、「９」およびアルファベットの「Ａ」、「Ｂ」、「Ｃ」、「Ｄ」、「Ｅ」などの合計十数種類からなる複数の図柄を可変表示可能とし、始動口または第１種始動口と呼ばれている特定入賞領域に遊技球が入ることによって、左側の第１行目を構成する第１エリア、第４エリアおよび第７エリアでは一連の図柄をあたかも縦方向に回転しているように可変表示し、中間の第２行目を構成する第２エリア、第５エリアおよび第８エリアでは別の一連の図柄をあたかも縦方向に回転しているように可変表示し、第３行目を構成する第３エリア、第６エリアおよび第９エリアではさらに別の一連の図柄をあたかも縦方向に回転しているように可変表示し、可変表示の開始から所定の経過時間後に、各行を同時または各行間に数秒程度の時間差を以て順に停止し、その停止状態において、複数の図柄が同一図柄で３つ揃うことで、遊技者に有利な遊技状況を発生する。
【特許文献１】特開平６−２４６０４０号公報
【特許文献２】特開平５−８４３５０号公報
【特許文献３】特開平３−１８２２８０号公報
【発明の開示】
【発明が解決しようとする課題】
【０００３】
しかし、上記従来の表示パネルでは、図８に示すように、組み合わせ表示領域は横辺Ｘが縦辺Ｙより短い寸法関係に設定された長方形になっており、図柄の可変方向が組み合わせ表示領域の短辺と平行する方向になっているので、組み合わせ表示領域に可変表示される図柄の変動量が少なくて、遊技者への視覚表示機能に欠ける不都合がある。
【課題を解決するための手段】
【０００４】
本発明に係る遊技機の画像表示装置は、表示パネルの表示領域に複数の図柄を可変表示して停止しかつ停止した図柄が当たり図柄である場合に遊技者に有利な遊技状況を発生する遊技機の画像表示装置において、表示領域は横辺が縦辺よりも長い寸法の横長の長方形に形成され、複数の図柄における可変方向が可変表示の開始から停止まで表示領域の長辺と平行する横方向に設定されたか、または、表示パネルの表示領域に複数の図柄を可変表示して停止しかつ停止した図柄が当たり図柄である場合に遊技者に有利な遊技状況を発生する遊技機の画像表示装置において、表示領域は縦辺が横辺よりも長い寸法の縦長の長方形に形成され、表示領域に表示される複数の図柄における可変方向が可変表示の開始から停止まで表示領域の長辺と平行する縦方向に設定されたか、または、表示パネルと、表示パネルに複数の図柄を遊技者に見せるために長方形に形成された表示領域と、表示領域に複数の図柄を表示するために表示領域の長辺と平行する方向に区分された複数のエリアと、表示領域の長辺と平行する方向に隣接する複数のエリアに複数の図柄を可変表示の開始から停止まで一連に可変表示して停止する図柄変動手段と、図柄の停止する当たりラインに停止した図柄が当たり図柄である場合に遊技者に有利な遊技状況を発生する制御部とを備えたことを最も主要な特徴とする。
【発明の効果】
【０００５】
本発明に係る遊技機の画像表示装置は、複数の図柄が可変表示の開始から停止まで表示領域の長辺と平行する方向に可変表示することにより、表示領域に可変表示される図柄の変動量が多くなり、可変表示される図柄をダイナミックに見せて、遊技性を高めることができるという利点がある。
【発明を実施するための最良の形態】
【０００６】
図１は実施例の遊技機の画像表示装置を示す構成図、図２は同実施例の組み合わせ表示領域を示す図、図３〜図７は複数の異なる実施例の組み合わせ表示領域個々を示す図である。
【０００７】
図１において、１は表示パネルを示し、これは図外のデザイン図の描かれた遊技板の前面に木ねじのようなねじ釘で取り付けられ、これの表示画面の一部または全域には横辺Ｘと縦辺Ｙとからなる長方形に形成された組み合わせ表示領域１ａを有し、横辺Ｘは縦辺Ｙよりも長い寸法関係に設定されており、組み合わせ表示領域１ａの中には複数行複数列に区分された分割画面を有し、複数行複数列中の行を縦方向とし、列を横方向とし、分割画面は３行３列の第１エリア〜第９エリアからなる９分割画面を構成し、各エリアには例えば数字の「０」、「１」、「２」、「３」、「４」、「５」、「６」、「７」、「８」、「９」およびアルファベットの「Ａ」、「Ｂ」、「Ｃ」、「Ｄ」、「Ｅ」などの合計十数種類からなる複数の図柄を可変表示可能にしてある。
２は表示パネル１に図柄を可変表示するための制御部を示し、これは予め設定されたプログラムで動作するマイクロコンピュータにより構成され、遊技制御装置とは別体に構成されるかまたは遊技制御装置に内蔵されて遊技板の裏面に取り付けられ、図柄変動手段２ａを有する。
【０００８】
図柄変動手段２ａは遊技機の電源投入時の初期設定により、図柄を組み合わせ表示領域１ａの長辺、すなわち横辺Ｘと平行する方向にあたかも回転するように可変表示して停止する。
【０００９】
例えば始動口または第１種始動口と呼ばれる特定入賞領域に遊技球が入ることによって、図柄変動手段２ａは最上の第１列目を構成する第１エリア、第２エリアおよび第３エリアで一連の図柄をあたかも横方向に回転しているように可変表示し、中間の第２列目を構成する第４エリア、第５エリアおよび第６エリアで別の一連の図柄をあたかも横方向に回転しているように可変表示し、第３列目を構成する第７エリア、第８エリアおよび第９エリアでさらに別の一連の図柄をあたかも横方向に回転しているように可変表示し、可変表示の開始から所定の経過時間後に、各列を同時または各列間に数秒程度の時間差を以て順に停止する。
【００１０】
要するに、この実施例によれば、図外の電源を投入することにより、制御部２が起動して表示パネル１の組み合わせ表示領域１ａを９分割画面に構成するとともに、その９分割画面に可変表示される図柄の可変方向を組み合わせ表示領域１ａの長辺としての横辺Ｘと平行する方向に設定し、遊技の可能な状態となり、その状態において、遊技者が図外の発射装置を操作し、遊技球を表示パネル１の周囲における遊技領域に弾き、その弾かれた遊技球が下方に転がって図外の始動口や第１種始動口などの特定入賞領域に入ると、図２に示す表示パネル１の第１列目〜第３列目にそれぞれに異なる一連の図柄を組み合わせ表示領域１ａの横辺Ｘと平行する方向にあたかも回転しているように可変表示することにより、つまり組み合わせ表示領域１ａに可変表示される複数の図柄の可変方向が組み合わせ表示領域１ａの長辺と平行する方向に変動することにより、組み合わせ表示領域１ａに可変表示される図柄の変動量が多くなり、可変表示される図柄をダイナミックに見せることができ、一方、可変表示の開始から所定の経過時間後に、各列を同時または各列間に数秒程度の時間差を以て順に停止し、その停止した図柄が第１行目、第２行目、第３行目、または第１エリアから第５エリアを経て第９エリアに至るか、第３エリアから第５エリアを経て第７エリアに至る対角線上の２つの斜め列の合計５つの当たりラインにおいて同一図柄で３つ揃うと、制御部２が当たり信号を図外の遊技制御装置に出力し、遊技制御装置が例えば遊技板上のアタッカを動作して遊技者に有利な遊技を開始させる。
【００１１】
上記実施例では横長の長方形に形成した組み合わせ表示領域１ａを３行３列の９分割画面構成とした例を図示して説明したが、図３または図４に示すように、横長な長方形の組み合わせ表示領域１ａに６分割画面構成または３分割画面構成として複数の図柄をあたかも横方向に、つまり組み合わせ表示領域１ａの長辺としての横辺Ｘと平行する方向に可変表示することも可能である。
【００１２】
図３に示す実施例の場合、第１列目を構成する第１エリアおよび第２エリアで一連の図柄をあたかも横方向に回転しているように可変表示し、第２列目を構成する第３エリアおよび第４エリアで別の一連の図柄をあたかも横方向に回転しているように可変表示し、第３列目を構成する第５エリアおよび第６エリアでさらに別の一連の図柄をあたかも横方向に回転しているように可変表示して、停止時における図柄の当たりラインは第１行目および第２行目の合計２つになる。
【００１３】
図４に示す実施例の場合、第１列目を構成する第１エリア、第２列目を構成する第２エリアおよび第３列目を構成する第３エリアのそれぞれに別々の一連の図柄をあたかも横方向に回転しているように可変表示して、停止時における図柄の当たりラインは第１行目の１つになる。
【００１４】
上記各実施例では横長な組み合わせ表示領域１ａを例として図示して説明したが、図５〜図７に示すように、図柄組み合わせ１ｂを縦長に、つまり横辺Ｘを縦辺Ｙよりも短い寸法関係に設定し、その長さの長い方の縦辺Ｙと平行する方向に図柄を可変表示することも可能である。
【００１５】
図５に示す実施例の場合、第１行目を構成する第１エリア、第４エリアおよび第７エリアで一連の図柄をあたかも縦方向に回転しているように可変表示し、第２行目を構成する第２エリア、第５エリアおよび第８エリアで別の一連の図柄をあたかも縦方向に回転しているように可変表示し、第３行目を構成する第３エリア、第６エリアおよび第９エリアでさらに別の一連の図柄をあたかも縦方向に回転しているように可変表示し、停止時における図柄の当たりラインが第１列目、第２列目、第３列目、または第１エリアから第５エリアを経て第９エリアに至るか、第３エリアから第５エリアを経て第７エリアに至る対角線上の２つの斜め列の合計５つになる。
【００１６】
図６に示す実施例の場合、第１行目を構成する第１エリアおよび第４エリアで一連の図柄をあたかも縦方向に回転しているように可変表示し、第２行目を構成する第２エリアおよび第５エリアで別の一連の図柄をあたかも縦方向に回転しているように可変表示し、第３行目を構成する第３エリアおよび第６エリアでさらに別の一連の図柄をあたかも縦方向に回転しているように可変表示し、停止時における図柄の当たりラインが第１列目および第２列目の合計２つになる。
【００１７】
図７に示す実施例の場合、第１行目を構成する第１エリア、第２行目を構成する第２エリアおよび第３行目を構成する第３エリアのそれぞれに別々の一連の図柄をあたかも縦方向に回転しているように可変表示して、停止時における図柄の当たりラインは第１列目の１つになる。
【産業上の利用可能性】
【００１８】
上記各実施例では停止した図柄が同一図柄で揃った場合に遊技者に有利な遊技状況を発生する例を図示して説明したが、停止した図柄が同一図柄ではなく予め定められた当り図柄の組み合わせに揃った場合に遊技者に有利な遊技状況を発生することも可能である。
【００１９】
また、上記各実施例の遊技球の特定入賞領域への入賞を、メダルの投入と読み替えることによってスロットマシンにも適用できる。
【図面の簡単な説明】
【００２０】
【図１】第１実施例を示す構成図。
【図２】第１実施例の組み合わせ表示領域を示す画面図。
【図３】第２実施例の組み合わせ表示領域を示す画面図。
【図４】第３実施例の組み合わせ表示領域を示す画面図。
【図５】第４実施例の組み合わせ表示領域を示す画面図。
【図６】第５実施例の組み合わせ表示領域を示す画面図。
【図７】第６実施例の組み合わせ表示領域を示す画面図。
【図８】従来の組み合わせ表示領域を示す画面図。
【符号の説明】
【００２１】
１    表示パネル
１ａ  組み合わせ表示領域
１ｂ  組み合わせ表示領域
２    制御部
２ａ  図柄変動手段
【図１】
2006006981.tif 000003
【図２】
2006006981.tif 000004
【図３】
2006006981.tif 000005
【図４】
2006006981.tif 000006
【図５】
2006006981.tif 000007
【図６】
2006006981.tif 000008
【図７】
2006006981.tif 000009
【図８】
2006006981.tif 000010